(57)【要約】【課題】張り出し装置を備える携帯電話無線基地局装置において、張り出し装置側から携帯電話無線基地局装置全体の情報収集及び制御を可能とする。【解決手段】  携帯電話システムの携帯電話無線基地局装置において基地局変復調装置８０に接続した情報処理端末４０が取得できる情報及び制御できる内容を張り出し装置７０に接続した情報処理端末１０からも同様に可能とする。情報処理端末１０をケーブルで張り出し装置７０に接続し、張り出し装置７０とケーブルで接続されている基地局変復調装置８０の情報取得及び状態制御を行う。情報処理端末１０により基地局変復調装置８０を含む各機能部の情報の取得及び制御が可能であるとともに、基地局変復調装置８０から数十Ｋｍ以上離れた張り出し装置７０側でしか取得できない無線部等の情報をも張り出し装置７０側の保守者のみにより取得可能である。【選択図】        図１
2005217982.tif 000002
【特許請求の範囲】
【請求項１】
少なくとも送受信用のベースバンド信号を処理するベースバンド信号処理部を備える基地局変復調装置と、該基地局変復調装置にケーブルにより接続され、無線周波数の変復調を行う無線送受信部と無線周波数の信号を増幅する送受信増幅部を備える張り出し装置と、前記張り出し装置に情報処理端末を接続するためのメンテナンス部と、を備え、前記メンテナンス部に接続した前記情報処理端末により前記基地局変復調装置に接続した情報処理端末が取得可能な情報の取得及び制御可能な内容の制御を可能としたことを特徴とする携帯電話無線基地局装置。
【請求項２】
前記基地局変復調装置は情報処理端末が接続可能な共通処理部を備え、前記共通制御部は前記張り出し装置に接続された情報処理端末又は前記基地局変復調装置に接続された情報処理端末からの情報取得及び状態制御に関する要求メッセージを各機能部に送信し、各機能部からの前記情報収集及び状態制御に関する応答メッセージを要求メッセージを送出した情報処理端末に送出することを特徴とする請求項１記載の携帯電話無線基地局装置。
【請求項３】
前記基地局変復調装置と前記張り出し装置との間を光ケーブルで接続するとともに、前記基地局変復調装置は他の携帯電話無線基地局装置との接続を制御する無線制御装置とケーブルで接続するための伝送路インターフェース部を備えることを特徴とする請求項１又は２記載の携帯電話無線基地局装置。
【請求項４】
前記各情報処理端末は、コマンドを発行して各機能部の設定の制御及び制御結果を表示する機能、無線区間の動作状況を表示する機能、無線制御装置と無線基地局間の局間制御信号を表示する機能、呼処理設定の状況を表示する機能、無線送受信部及び送受信増幅部の信号レベルを設定する機能、及びベースバンド信号処理部で送受信されるＩｕｂＦＰ信号データを表示する機能の何れかの機能を有することを特徴とする請求項１、２又は３記載の携帯電話無線基地局装置。
【請求項５】
少なくとも送受信信号のベースバンド信号を処理するベースバンド信号処理部を備える基地局変復調装置とケーブルにより接続され、無線周波数の変復調を行う無線送受信部と無線周波数の信号を増幅する送受信増幅部を備える張り出し装置とで構成した携帯電話無線基地局装置の情報収集及び制御方法であって、
前記張り出し装置に情報処理端末を接続するためのメンテナンス部を設け、前記メンテナンス部に情報処理端末を接続することにより、前記張り出し装置側で基地局変復調装置に接続した情報処理端末から取得可能な情報の取得及び制御可能な内容の制御を可能とするとともに、前記張り出し装置側でのみ取得できる無線の状態情報をも取得可能とすることを特徴とする携帯電話無線基地局装置の情報収集及び制御方法。
【請求項６】
前記基地局変復調装置は共通処理部を備え、前記共通処理部は前記情報処理端末から受信した情報取得及び状態制御に関する要求メッセージを各機能部に送信し、各機能部からの情報取得及び状態制御に関する応答メッセージを要求メッセージを送出した情報処理端末に送出することを特徴とする請求項５記載の携帯電話無線基地局装置の情報収集及び制御方法。
【発明の詳細な説明】
【技術分野】
【０００１】
本発明は携帯電話無線基地局装置に関し、特に、無線基地局張り出し装置を備える携帯電話無線基地局装置の情報取得及び状態制御に関する。
【背景技術】
【０００２】
図４は現行の携帯電話無線基地局装置を備える携帯無線システムの構成を示す図であり、図５は携帯電話無線基地局装置のより詳細な構成を示す図である。携帯無線システムは図４に示すように、無線制御装置５０と、前記無線制御装置５０にケーブルにより接続され、それぞれ異なる特定のエリアの無線通信を司る携帯電話無線基地局装置と、前記携帯電話無線基地局装置と無線通信を行う携帯電話機６０とから構成されており、前記携帯電話無線基地局装置は図５に示すように、基地局変復調部と送受信増幅部とが一体化された構成でなる。なお、無線制御装置５０は複数の携帯電話無線基地局装置との間の接続を制御しエリア間での携帯電話機の通信をも可能に制御する。
【０００３】
基地局変復調部は、ベースバンド信号処理部３１、伝送路インターフェース部３２及び共通制御部３３で構成され、送受信増幅部は送受信増幅部２２及び無線送受信部２１で構成されている。また、基地局変復調部の共通制御部３３にはケーブルで接続した情報処理端末４０を備え、前記情報処理端末４０により携帯電話無線基地局装置の情報収集及び制御を行い保守作業を可能とし、基地局変復調部側から共通制御部３３により携帯電話無線基地局装置全体の監視制御を可能としている。このように基地局変復調部と送受信増幅部とが一体化されることにより基地局変復調部側から情報収集及び制御が可能であり、送受信増幅部と携帯電話機６０との間で送受信する無線通信の状態等のモニタも一体化された基地局変復調部と送受信増幅部を設置する同一場所で行うことを可能としている。
【０００４】
また従来、無線部を室外ユニット（ＯＤＵ）と室内ユニット（ＩＤＵ）として構成する無線アクセスシステムが知られている（特許文献１〜３参照）が、この構成の無線装置は室内ユニットに対しアンテナを有するユニットを近隣の屋上等に設置するシステムであり、基本的には図４に示す無線装置構成と同等のものである。また、特許文献３には加入者無線局（２０）の室外ユニット（ＯＤＵ）（４０）に保守端末（３０）を設けることが示されているが、この保守端末（３０）は基地局に係るものではなく、基地局からの受信信号の受信レベル検出／判定結果を取得するものであり、また基地局装置側については室内ユニット（ＩＤＵ）と室外ユニット（ＯＤＵ）とで構成されたものであり、やはり基本的に図４に示す無線装置構成のシステムである。
【０００５】
【特許文献１】特開２００１−７７７６９号公報
【特許文献２】特開２００２−９４４３５号公報
【特許文献３】特開２００３−２２４５１０号公報
【０００６】
図６は他の携帯無線システムの構成を示す図であり、図７は携帯電話無線基地局装置のより詳細な構成を示す図である。携帯電話無線基地局装置における基地局変復調部３０に対し送受信増幅部側の無線送受信部２１及び送受信増幅部２２を備える装置を十数Ｋｍ以上等の光ファイバ等のケーブルにより接続した構成とし、無線送受信部２１及び送受信増幅部２２側は単に室内ユニット（ＩＤＵ）に対し室外ユニット（ＯＤＵ）を設けた無線装置と異なり、電波の到達しない地下街等のエリアでの使用、給電線損失の為にエリア設計が出来ない場合での使用、また地方等、ルーラルエリアの経済的なエリア設計のための使用に供され、無線基地局張り出し装置２０と呼ばれる装置（「張り出し装置」という。）である。
【０００７】
この携帯無線システムの携帯電話無線基地局装置においては、基地局変復調部３０がベースバンド信号処理部３１及び伝送路インターフェース部３２とこれらと装置内バスで接続された共通制御部３３とで構成され、保守作業は情報処理端末４０を基地局変復調部３０の共通制御部３３にケーブルで接続して、各部（各機能部）の動作状況のモニタ、各種設定の制御等、情報収集及び制御を実施するように構成されている。
【発明の開示】
【発明が解決しようとする課題】
【０００８】
従来の基地局変復調部３０に対してエリア設計等のための張り出し装置２０を設けた構成の携帯電話無線基地局装置においては、基地局変復調部３０と張り出し装置２０との間の距離は十数ｋｍ以上となる場合もあり、張り出し装置２０に関する情報収集及び制御であっても基地局変復調部３０でしか行えないため、基地局変復調部３０側で情報収集及び制御を行う作業者と、張り出し装置２０側でのみ可能な無線の送受信をモニタする作業者が別々に必要となる。これは、基地局変復調部３０側からの制御により各機能部の設定等を切り替えながら、その結果の情報収集を行う場合、収集する情報のうち、例えば送受信の無線状態等の情報については、張り出し装置２０側においてのみ取得が可能であり、基地局変復調部３０側からは取得することは不可能であるからである。
【０００９】
（目的）
本発明の目的は、張り出し装置側から携帯電話無線基地局装置全体の情報収集及び制御を可能とする携帯電話無線基地局装置及び携帯電話無線基地局装置の情報取得及び状態制御方法を提供することにある。
【課題を解決するための手段】
【００１０】
本発明は、携帯電話システムの携帯電話無線基地局装置において基地局変復調装置８０に接続した情報処理端末４０が取得できる情報及び制御できる内容を張り出し装置７０に接続した情報処理端末１０からも同様に可能とするものである。情報処理端末１０をケーブルで張り出し装置７０に接続し、張り出し装置７０側から該張り出し装置７０とケーブルで接続されている基地局変復調装置８０側等の情報取得及び状態制御を可能とする（図１）。つまり、
本発明の携帯電話無線基地局装置は、少なくとも送受信用のベースバンド信号を処理するベースバンド信号処理部を備える基地局変復調装置と、該基地局変復調装置にケーブルにより接続され、無線周波数の変復調を行う無線送受信部と無線周波数の信号を増幅する送受信増幅部を備える張り出し装置と、前記張り出し装置に情報処理端末を接続するためのメンテナンス部と、を備え、前記メンテナンス部に接続した前記情報処理端末により前記基地局変復調装置に接続した情報処理端末が取得可能な情報の取得及び制御可能な内容の制御を可能としたことを特徴とする。
【００１１】
また、前記基地局変復調装置は情報処理端末が接続可能な共通処理部を備え、前記共通制御部は前記張り出し装置に接続された情報処理端末又は前記基地局変復調装置に接続された情報処理端末からの情報取得及び状態制御に関する要求メッセージを各機能部に送信し、各機能部からの前記情報収集及び状態制御に関する応答メッセージを要求メッセージを送出した情報処理端末に送出することを特徴とし、前記基地局変復調装置と前記張り出し装置との間を光ケーブルで接続するとともに、前記基地局変復調装置は他の携帯電話無線基地局装置との接続を制御する無線制御装置とケーブルで接続するための伝送路インターフェース部を備えることを特徴とする。
【００１２】
現行の携帯電話無線基地局装置の基地局変復調装置３０に接続した情報処理端末４０において取得できる情報及び制御できる内容は、例えば、コマンドを発行して各機能部の設定の制御及び制御結果を表示する機能、無線区間の動作状況を表示する機能、無線制御装置と無線基地局間の局間制御信号を表示する機能、呼処理設定の状況を表示する機能、無線送受信部及び送受信増幅部の信号レベルを設定する機能、及びベースバンド信号処理部で送受信されるＩｕｂＦＰ信号データを表示する機能に関するものであり、これらを張り出し装置７０に接続した情報処理端末１０からも同様に実現可能とする。
【００１３】
本発明の携帯電話無線基地局装置の情報収集及び制御方法は、少なくとも送受信信号のベースバンド信号を処理するベースバンド信号処理部を備える基地局変復調装置とケーブルにより接続され、無線周波数の変復調を行う無線送受信部と無線周波数の信号を増幅する送受信増幅部を備える張り出し装置とで構成した携帯電話無線基地局装置の情報収集及び制御方法であって、前記張り出し装置に情報処理端末を接続するためのメンテナンス部を設け、前記メンテナンス部に情報処理端末を接続することにより、前記張り出し装置側で基地局変復調装置に接続した情報処理端末から取得可能な情報の取得及び制御可能な内容の制御を可能とするとともに、前記張り出し装置側でのみ取得できる無線の状態情報をも取得可能とすることを特徴とする。
【００１４】
また、前記基地局変復調装置は共通処理部を備え、前記共通処理部は前記情報処理端末から受信した情報取得及び状態制御に関する要求メッセージを各機能部に送信し、各機能部からの情報取得及び状態制御に関する応答メッセージを要求メッセージを送出した情報処理端末に送出することを特徴とする。
【００１５】
本発明の情報処理端末を張り出し装置７０及び基地局変復調装置８０のそれぞれ接続し、又は必要により一方のみに接続して使用することにより、携帯電話無線基地局装置の基地局変復調装置及び／又は張り出し装置の各機能部の情報収集及び状態制御を可能とする。特に、張り出し装置側に接続することにより、保守者により基地局変復調装置から数十Ｋｍ以上も離れた張り出し装置側で各機能部の情報収集及び状態制御が可能であるとともに、例えば別途計測器を使用する等により取得できるような無線部等の情報をも張り出し装置側の保守者のみにより取得可能である。
【発明の効果】
【００１６】
本発明によれば、張り出し装置に接続した情報処理端末から基地局変復調装置を含む情報が取得できることから、張り出し装置側から十数ｋｍ離れた基地局変復調装置の運用状態を把握することが可能である。
【００１７】
また、張り出し装置に接続した情報処理端末から基地局変復調装置を含む制御を行うことが可能であり、不具合発生時に基地局変復調装置の各機能部の設定を変更する等により張り出し装置側から各設定状態毎の動作状態を確認する作業等が可能となるから、張り出し装置側から十数ｋｍ離れた基地局変復調装置の保守作業を行うことが可能である。
【００１８】
特に、張り出し装置側の情報処理端末により基地局変復調装置を含む各機能部の情報の取得及び制御が可能であるとともに、張り出し装置側の保守者により無線の送受の状態をも把握可能であるから、張り出し装置側でのみ取得可能な情報であるアンテナ周辺の電波状態、無線状態の情報、無線段階で調査可能な各機能部の動作状態の情報を取得することが可能である。このため張り出し装置を備える携帯電話無線基地局装置の全ての保守作業を張り出し装置側で実施することが可能である。
【発明を実施するための最良の形態】
【００１９】
本発明の携帯電話無線基地局装置及びその情報取得及び状態制御方法の一実施の形態の構成について詳細に説明する。
【００２０】
図１は本実施の形態の携帯電話無線基地局装置の構成を示す図である。携帯電話無線基地局装置（無線基地局装置）は、基地局変復調装置８０と、該基地局変復調装置８０に数十Ｋｍ以上のケーブルで接続され、エリア設計を実現し携帯電話機端末との間で無線区間を形成する張り出し装置７０と、からなり、基地局変復調装置８０は他の携帯電話無線基地局装置との間の接続を制御する無線制御装置５０と接続される。基地局変復調装置８０は、装置内バスで相互接続されたベースバンド信号処理部３１、無線制御装置５０との間のインターフェースを構成する伝送路インターフェース部３２及び共通制御部３３により構成され、張り出し装置７０は、装置内バスで相互接続された無線送受信部２１、送受信増幅部２２及びメンテナンス部２３により構成され、張り出し装置７０にはメンテナンス部２３を介して情報処理端末１０が接続される。
【００２１】
張り出し装置７０を構成する無線送受信部２１、送受信増幅部２２及びメンテナンス部２３からなる機能部は以下の機能を有する。  
無線送受信部２１はベースバンド信号処理部３１で生成されたベースバンド信号を直交変調により無線周波数の送信信号に変換し送受信増幅部２２へ送出する機能、アンテナからの無線周波数の受信信号をＩ／Ｑ信号に変換しベースバンド信号処理部３１に送出する機能、つまり無線周波数の送受信機能を持っている。送受信増幅部２２は無線送受信部２１及び携帯電話機６０からの無線周波数の送信信号を設定された送受信レベルに関する基準値等に基づいて規定レベルまで電力増幅する機能、つまり無線周波数の信号の増幅機能を持っている。また、無線送受信部２１及び送受信増幅部２２は張り出し装置７０の状態管理、状態変化等の保守監視及び制御等のメッセージを含む制御信号を共通制御部３３と送受信する機能を持っている。
【００２２】
メンテナンス部２３は情報処理端末１０を接続するインターフェース機能及び情報処理端末１０と共通制御部３３との間で制御信号等を送受信する機能を持っている。このため張り出し装置７０の装置内バスと基地局変復調装置８０内の装置内バスとは前記ケーブルを介し接続され、このケーブルにはベースバンド信号と保守監視及び制御等の前記制御信号が流れる。また張り出し装置７０は携帯電話機６０とアンテナを介して無線周波数の信号の送受信を行う機能を持っている。
【００２３】
基地局変復調装置８０を構成するベースバンド信号処理部３１、伝送路インターフェース部３２及び共通制御部３３からなる機能部は以下の機能を有する。  
ベースバンド信号処理部３１は、送信機能として、装置内バスでＡＴＭフォーマットにて伝送されてくるデータを終端し、データのシンボルレート／チャネル（ＣＨ）種別に応じて符号処理及びシンボルの変調処理、拡散処理を行いベースバンド信号を無線送受信部２１へ送信する機能を持ち、受信機能として、無線送受信部２１から送信されてくる逆拡散前のベースバンド信号の逆拡散処理、シンボルの復調処理を行い指定されたシンボルレート／ＣＨ種別に応じた複合処理を行って、装置内バスでＡＴＭフォーマットにて伝送路インターフェース部３２へ送信する機能を持っている。
【００２４】
伝送路インターフェース部３２は無線制御装置５０とケーブルで接続され無線制御装置５０とのインターフェース機能を持ち、各機能部からのＡＴＭフォーマットのデータを帯域制限して無線制御装置５０に送信する機能、無線制御装置５０からのＡＴＭフォーマットのデータを装置内バスで各機能部へ送信する機能を持っている。
【００２５】
共通制御部３３はチャネル（ＣＨ）リソース管理、呼処理に関する制御を無線制御装置５０からの制御により行う機能に加え、張り出し装置７０と基地局変復調装置８０の各機能部の状態管理及び状態制御を行う機能、その状態管理及び状態制御に関する信号を伝送路インターフェース部３２を介して無線制御装置５０と送受信する機能及び情報処理端末４０に対するインターフェース機能を持っている。
【００２６】
情報処理端末１０は、張り出し装置７０内のメンテナンス部２３とケーブルで接続され、メンテナンス部２３を介して共通制御部３３に対して基地局変復調装置８０又は張り出し装置７０の情報を取得するためのメッセージ等の制御信号を送信する機能、基地局変復調装置８０又は張り出し装置７０から送信された情報を共通制御部３３及びメンテナンス部２３を介して受信し画面に表示する機能を持った装置である。情報処理端末４０は共通制御部３３とケーブルで接続され共通制御部３３を介して同等の機能を持っている。
【００２７】
現行では、基地局変復調装置８０内の共通制御部３３に直接ケーブルで接続している情報処理端末４０からしか各メッセージの送受信を行えないが、本発明では張り出し装置７０内のメンテナンス部２３と基地局変復調装置８０内の共通制御部３３との間に通信機能を設けたため、メンテナンス部２３に接続した情報処理端末１０からも情報取得及び状態制御が可能となる。
【００２８】
張り出し装置７０の情報処理端末１０及び基地局変復調装置８０の情報処理端末４０において取得し表示できる情報及び制御できる内容等に関する機能は次に示すような事項である。  
機能０１：コマンド（制御信号）を発行して各種設定を制御する機能：例えば、基地局変復調部内の各機能部の現用／予備の切り替えの設定機能等
機能０２：コマンドを発行した結果を表示する機能：例えば、切り替え状態の表示機能等
機能０３：無線区間の動作状況をモニタし表示する機能：例えば、無線区間で使用中の周波数、出力レベル等のモニタ機能等
機能０４：無線制御装置と携帯電話無線基地局装置間の局間制御信号を表示する機能
機能０５：呼処理設定の状況を表示する機能
機能０６：無線状態のモニタ機能
機能０７：無線送受信部及び送受信増幅部に保持する送信出力レベルの基準値の誤差を補正する機能：例えば、送信出力レベルの調整用の基準値の補正、設定等
機能０８：ベースバンド信号処理部にて送受信されるＩｕｂＦＰ信号のデータを表示する機能：例えば、呼処理データの表示機能等
【００２９】
（動作）
本実施の形態の動作について、図１、図２を参照して説明する。情報処理端末１０が各機能部に対し情報取得及び状態制御を行うためのコマンドとして要求メッセージを発行（送信）し、機能部は要求メッセージに対する応答メッセージ及び機能部で測定された情報、制御結果又は監視項目の状態等の情報を含む報告メッセージ等を送信する例を説明する。
【００３０】
情報処理端末１０は、情報取得及び状態制御を行うために共通制御部３３に送信するコマンドである要求メッセージ４０１をメンテナンス部２３に送信する。メンテナンス部２３はその要求メッセージ４０１を受信し、共通制御部３３に送信し、共通制御部３３はその要求メッセージ４０１を受信する。
【００３１】
共通制御部３３は要求メッセージ４０１を受信するとそのメッセージに含まれる情報から要求メッセージ４０１の送信先の機能部を判別し、その機能部に要求メッセージ４０１を送信する。
【００３２】
各機能部は共通制御部３３から送信された要求メッセージ４０１を受信すると、応答メッセージ４０２を共通制御部３３へ送信する。ここで応答メッセージ４０２とは要求メッセージ４０１を受け付けた機能部から共通制御部３３に受け付けたことを通知する信号である。
【００３３】
共通制御部３３は各機能部から応答メッセージ４０２を受信してメンテナンス部２３に送信する。メンテナンス部２３はその応答メッセージ４０２を受信し、情報処理端末１０へ送信する。情報処理端末１０は応答メッセージ４０２を受信してそのメッセージに含まれる情報を画面に表示する。同様に各機能部は応答メッセージ４０２の送信後、要求メッセージを要求内容を判断し、要求内容に応じた報告メッセージ等を共通制御部３３及びメンテナンス部２３を介して情報処理端末１０へ送信する。
【００３４】
図３は各機能部の処理動作を示すフロー図である。情報処理端末１０からの要求メッセージによる情報収集及び各種制御に対する各機能部の応答メッセージの送出等に関するより詳細な内容及び動作例を以下説明する。
【００３５】
各機能部は受信した要求メッセージ４０１を受信すると（ｓ１）、要求メッセージ４０１に含まれる情報から情報取得に関するメッセージか状態制御に関するメッセージか監視系の状態制御に関するメッセージかを判断する（ｓ２、ｓ５、ｓ９）。
【００３６】
情報取得に関するメッセージを受信した場合（ｓ２）、機能部内の指定された情報を生成し（ｓ３）、該情報を含む報告メッセージ４０３を生成して共通制御部３３へ送信する（ｓ４）。例えば、測定関連の情報取得に関するメッセージの場合、該機能部は要求メッセージ４０１で指定された周期で測定されている情報を報告メッセージ４０３（ｓ）にて共通制御部３３へ送信する。
【００３７】
状態制御に関するメッセージを受信した場合（ｓ５）、機能部内で指定された状態制御を実施し（ｓ６）、その結果の情報を生成して（ｓ７）、当該情報を含む報告メッセージ４０３を生成して共通制御部３３へ送信する（ｓ８）。
【００３８】
監視系の状態制御に関するメッセージを受信した場合（ｓ９）、機能部は要求メッセージ４０１で指定された監視項目の状態が変化した時にその情報を生成して（ｓ１０）、当該情報を含む所定周期の自律的なメッセージである自律メッセージ４０４を生成して共通制御部３３へ送信する（ｓ１１）。
【００３９】
共通制御部３３は各機能部から前述の報告メッセージ４０３及び自律メッセージ４０４を受信し、メンテナンス部２３に送信する。メンテナンス部２３は報告メッセージ４０３及び自律メッセージ４０４を受信し、情報処理端末１０へ送信する。  
情報処理端末１０は報告メッセージ４０３及び自律メッセージ４０４を受信してそのメッセージに含まれる情報を画面に表示し、保守者の情報視認及び設定制御に供する。
【００４０】
保守者は定期的な点検や不具合の発生時等において、情報処理端末１０により基地局変復調装置８０の各機能部の切り替え、例えば現用／予備の切り替え、その他各種設定、制御の切り替えと、その切り替え動作、切り替え結果を画面に表示し、切り替え動作及び切り替え後の各機能部の状態変化等を認識し、更に独立した計測器等による無線の状態を認識し保守することをも可能となる。
【００４１】
本発明の情報処理端末は、張り出し装置７０及び基地局変復調装置８０のそれぞれ接続し、又は必要により一方のみに接続して使用することにより、携帯電話無線基地局装置の基地局変復調装置及び／又は張り出し装置の各機能部の情報収集及び状態制御を可能とするように構成できることは明らかである。
【図面の簡単な説明】
【００４２】
【図１】本発明の一実施の形態のブロック図である。
【図２】本実施の形態の動作を説明するためのシーケンスである。
【図３】各機能部の処理フローを示す図である。
【図４】現状の無線基地局の全体構成を示す図である。
【図５】現状の無線基地局装置の構成を示すブロック図である。
【図６】現状の張り出し装置を備える無線基地局装置の全体構成を示す図である。
【図７】現状の張り出し装置の構成を示すブロック図である。
【符号の説明】
【００４３】
１０、４０  情報処理端末
２０、７０  張り出し装置
２１  無線送受信部
２２  送受信増幅部
２３  メンテナンス部
３０、８０  基地局変復調装置
３１  ベースバンド信号処理部
３２  伝送路インターフェース部
３３  共通制御部
５０  無線制御装置
６０  携帯電話機
【図１】
2005217982.tif 000003
【図２】
2005217982.tif 000004
【図３】
2005217982.tif 000005
【図４】
2005217982.tif 000006
【図５】
2005217982.tif 000007
【図６】
2005217982.tif 000008
【図７】
2005217982.tif 000009